(57)【特許請求の範囲】
【請求項１】
射出成形機のマンマシンインターフェース部の表示器の表示画面を２分割し、このうちの一方の表示画面を専用のタッチパネルで構成したメイン画面領域とし、他の残りの表示画面を専用のタッチパネルで構成したサブ画面領域とし、前記メイン画面領域には、該射出成形機のコントローラ機能を操作可能なコントローラ機能スイッチを備え、且つ該射出成形機の成形条件を設定可能な設定器並びにモニタリングデータを表示し、
前記サブ画面領域には、前記メイン画面領域と独立して随時表示したいモニタリングデータを表示すると共に、前記メイン画面領域に前記サブ画面領域が重ならないように表示するように構成し、
かつ前記メイン画面領域及び前記サブ画面領域に夫々配設されている画面選択ボタンを操作することで、前記メイン画面領域及び前記サブ画面領域に表示すべき画面データを夫々選択切替可能な構成であって、前記サブ画面領域には画面選択ボタンとして、少なくとも現在値画面選択ボタン、温度画面選択ボタン、モニタテーブル画面選択ボタン、生産画面選択ボタンを含むことを特徴とする射出成形機の表示装置。
【請求項２】
射出成形機のマンマシンインターフェース部の表示画面を２分割し、このうちの一方の表示画面を専用のタッチパネルで構成したメイン画面領域とし、他の残りの表示画面を専用のタッチパネルで構成したサブ画面領域とし、かつ前記メイン画面領域に前記サブ画面領域が重ならないように表示する画面表示器と、
前記メイン画面領域の表示を切り替える際に操作するものであって、少なくとも型締・押出画面選択ボタン、射出・計量画面選択ボタン、温度画面選択ボタンを含み、該操作を行った画面選択ボタンに対応する射出成形機の詳細な画面データを夫々選択切替可能な構成のダイレクト画面選択ボタンと、
該サブ画面領域の表示を切り替えるサブ画面選択ボタンと、
前記メイン画面領域に表示するため、該射出成形機の成形条件設定に要する画面表示データ及び射出成形機からのモニタリングデータを記憶するメイン画面表示データメモリと、
前記サブ画面領域に表示するため、前記メイン画面領域と独立して随時表示したいモニタリングデータ等の各種データを記憶するサブ画面表示データメモリと、
前記画面表示器に表示する各種データを一時記憶する画面表示データ記憶手段と、
前記画面表示器の表示要求に応じて前記メイン画面表示データメモリ及びサブ画面表示データメモリのデータを前記画面表示データ記憶手段に転送する画面表示制御部と、
を具備した射出成形機の表示装置。
【発明の詳細な説明】
【０００１】
【発明の属する技術分野】
本発明は、射出成形機の設定やモニタ値を表示する射出成形機の表示装置に関する。
【０００２】
【従来の技術】
従来、ＣＲＴや液晶を使用した表示装置の表示面積が限られていることから、多くの情報をほぼ同時に表示できるようにするために、同一表示画面の一部を切替える画面切替方式としたり、或いはメイン画面に重ねて別画面を表示するようにしたウインドウズ方式を使用している。
【０００３】
このようなことは、従来の射出成形機に使用される表示装置にあっても同様である。例えば特公平７―４８４５号公報に示されているように、タッチ入力パネル方式のメイン画面及び該メイン画面の例えば半分に、成形条件を設定するための設定器を表示するサブ画面を設定切替可能に構成したものがある。
【０００４】
このような構成の従来の射出成形機に使用される表示装置において、設定器により成形条件を設定するに当たっては、メイン画面上にある機能スイッチの一つを選択して設定器をメイン画面上に表示させ、該表示された設定器により成形条件を設定すればよい。
【０００５】
【発明が解決しようとする課題】
以上述べた従来の射出成形機の表示装置にあっては、メイン画面は設定器が表示される分、例えばメイン画面のほぼ半分が該設定器の表示により隠れることから、この隠れる分だけメイン画面の表示を見ることができない。このため、射出成形機の成形条件の設定が効率よく行なえないという問題点がある。なお、このような問題点は、成形条件の設定に限らず、運転状況の確認時や内部メモリの書込みと読出し時にも生ずる。
【０００６】
又、メイン画面にサブ画面が重ならないように表示させるためには、画面の大きさや表示位置を、オペーレータがその都度変更操作を行なう必要がある。
【０００７】
本発明は上記の課題を解決するためになされたもので、サブ画面を表示してもメイン画面の表示が隠れることはなく、またメイン画面とサブ画面の表示の組合せが自由にでき、この結果、ユーザが必要な情報を繁雑な操作もなく画面表示することができ、射出成形機の成形条件の設定や運転状況の確認が効率よく行える射出成形機の表示装置を提供することを目的とする。
【０００８】
【課題を解決するための手段】
前記目的を達成するため、請求項１に対応する発明は、射出成形機のマンマシンインターフェース部の表示器の表示画面を２分割し、このうちの一方の表示画面を専用のタッチパネルで構成したメイン画面領域とし、他の残りの表示画面を専用のタッチパネルで構成したサブ画面領域とし、前記メイン画面領域には、該射出成形機のコントローラ機能を操作可能なコントローラ機能スイッチを備え、且つ該射出成形機の成形条件を設定可能な設定器並びにモニタリングデータを表示し、
前記サブ画面領域には、前記メイン画面領域と独立して随時表示したいモニタリングデータを表示すると共に、前記メイン画面領域に前記サブ画面領域が重ならないように表示するように構成し、
かつ前記メイン画面領域及び前記サブ画面領域に夫々配設されている画面選択ボタンを操作することで、前記メイン画面領域及び前記サブ画面領域に表示すべき画面データを夫々選択切替可能な構成であって、前記サブ画面領域には画面選択ボタンとして、少なくとも現在値画面選択ボタン、温度画面選択ボタン、モニタテーブル画面選択ボタン、生産画面選択ボタンを含むことを特徴とする射出成形機の表示装置である。
【００１１】
前記目的を達成するため、請求項２に対応する発明は、射出成形機のマンマシンインターフェース部の表示画面を２分割し、このうちの一方の表示画面を専用のタッチパネルで構成したメイン画面領域とし、他の残りの表示画面を専用のタッチパネルで構成したサブ画面領域とし、かつ前記メイン画面領域に前記サブ画面領域が重ならないように表示する画面表示器と、
前記メイン画面領域の表示を切り替える際に操作するものであって、少なくとも型締・押出画面選択ボタン、射出・計量画面選択ボタン、温度画面選択ボタンを含み、該操作を行った画面選択ボタンに対応する射出成形機の詳細な画面データを夫々選択切替可能な構成のダイレクト画面選択ボタンと、
該サブ画面領域の表示を切り替えるサブ画面選択ボタンと、
前記メイン画面領域に表示するため、該射出成形機の成形条件設定に要する画面表示データ及び射出成形機からのモニタリングデータを記憶するメイン画面表示データメモリと、
前記サブ画面領域に表示するため、前記メイン画面領域と独立して随時表示したいモニタリングデータ等の各種データを記憶するサブ画面表示データメモリと、
前記画面表示器に表示する各種データを一時記憶する画面表示データ記憶手段と、
前記画面表示器の表示要求に応じて前記メイン画面表示データメモリ及びサブ画面表示データメモリのデータを前記画面表示データ記憶手段に転送する画面表示制御部と、
を具備した射出成形機の表示装置である。
【００１２】
【発明の実施の形態】
以下、本発明の実施の形態につき図面を参照して説明する。
【００１３】
図１は本発明による射出成形機の表示装置の一実施形態を示す正面図である。射出成形機のマンマシンインターフェース部の表示装置１には、後述する画面表示部２及びダイレクト画面選択ボタン４を備えている。
【００１４】
画面表示部２は表示画面を２分割し、このうちの一方の表示画面を専用のメイン画面領域２Ｍとし、他の残りの表示画面を専用のサブ画面領域２Ｓとし、メイン画面領域２Ｍには、該射出成形機のコントローラ機能を操作可能なタッチパネル３からなるコントローラ機能スイッチ１２を備え、且つ該射出成形機の成形条件を設定可能な成形条件設定器１３並びにモニタデータを表示するモニタデータ表示部１４を備え、またサブ画面領域２Ｓには、メイン画面領域２Ｍに関係なく独立して随時表示したいモニタリングデータ例えば現在値、過去値等を表示するように構成したものである。
【００１５】
ダイレクト画面選択ボタン４は、型締・押出、射出・計量、温度、生産、モニタ、診断、支援、記録、画面ガイド、アラーム、設定、表示の各ボタンからなっており、これらのボタンを押すことにより、その画面をメイン画面領域２Ｍに表示するようになっている。なお、ダイレクト画面選択ボタン４は、メイン画面領域２Ｍ中に配置してもよい。
【００１６】
図１のメイン画面領域２Ｍは温度の画面を示し、図３は射出・計量、図４はモニタ（モニタトレンド）の画面を示している。サブ画面領域２Ｓは、全体がタッチパネルからなり、サブ画面選択ボタン５の画面を備え、サブ画面選択ボタン５は、現在値、温度、モニタテーブル、生産、非表示ボタンからなっている。
【００１７】
ここで、現在値ボタンを選択すると、サブ画面領域２Ｓには、図３に示すように、現在の射出成形機の状態すなわち射出時間、冷却時間、中間時間、スクリュ位置、ダイプレートの位置、押出位置、射出圧／背圧、型締力、スクリュ回転速度が表示される。この状態で、サブ画面領域２Ｓ内の任意の箇所をタッチすると、サブ画面領域２Ｓは、図１に示したサブ画面選択ボタン５の画面に戻り、温度ボタンを選択すると、ホッパの位置に対応する温度、偏差温度が表示される。
【００１８】
同様にして、モニタテーブルボタンを選択すると、図４に示すようにサブ画面領域２Ｓにはショット番号に対応した充填時間、計量時間、取出時間、サイクル時間、最小クッション、保圧切換、射出開始、スクリュ回転数が表示される。
【００１９】
生産ボタンを選択すると、現在までのショット数、このうちの良品ショット数、残ショット数、総生産数、良品数、不良品数、残生産数、稼働率、ロット達成率、不良率、生産残時間が表示される。
【００２０】
非表示ボタンを選択すると、非表示画面となる。
【００２１】
マシンインターフェース装置は、図２に示すように表示装置の表面部に液晶パネル等による画面表示部２と、押しボタンスイッチによる複数のダイレクト画面選択ボタン４を有している。
【００２２】
表示装置内には、画面表示部２に設けられた透明なタッチパネル３からの入力信号やダイレクト画面選択ボタン４からの信号並びに射出成形機１１からの各種検出信号を入力する入力信号制御部６と、メイン画面表示データを格納したメイン画面表示データメモリ７と、サブ画面表示データを格納したサブ画面表示データメモリ８と、画面表示部２に表示する画面表示データを記憶する画面表示データ記憶手段（ＶＲＡＭ）１０と、画面表示要求に応じてメイン画面表示データメモリ７とサブ画面表示データメモリ８からデータを読出し、ＶＲＡＭ１０に転送する画面表示制御部９とを有している。又、ダイレクト画面選択ボタン４以外にサブ画面内にあるサブ画面選択ボタン５がある。
【００２３】
ダイレクト画面選択ボタン４によりメイン画面表示を切り替え、サブ画面選択ボタン５によりサブ画面２Ｓの表示を切り替える。
【００２４】
以上述べた実施形態によれば、画面表示部２は専用のメイン画面領域及び専用のサブ画面領域が形成されているので、従来の技術のように画面切替を行なわなくても済み、サブ画面を表示してもメイン画面の表示が隠れることはなく、またメイン画面とサブ画面の表示の組合せが自由にできる。このことを例えば図３を用いて説明する。サブ画面領域２Ｓには、メイン画面領域２Ｍと独立して随時表示したい例えば現在値を表示する表示部を備え、またメイン画面領域２Ｍにはコントローラ機能スイッチ１２と以下に述べる成形条件設定器１３及びモニタデータ表示部１４を備えるように構成したものである。メイン画面領域２Ｍには、射出・計量画面を表示しており、具体的には射出、冷却、中間のタイマ設定値、ＶＩ１〜ＶＩ５，ＶＨ１，ＶＨ２の射出速度設定値、ＬＳ１０，ＬＳ５，ＬＳ４Ａ〜ＬＳ４Ｄ，ＬＳ４のスクリュ位置設定値の成形条件設定や充填時間、計量時間、サイクル時間、最小クッション値、保圧切換位置、射出開始位置等のモニタリングデータ、スクリュ回転数、スクリュ背圧値、スクリュ位置、射出圧力が表示されているので、これらとサブ画面２Ｓの現在値を同時に確認することができる。これに対して、従来の技術を図１と図３を基に説明すると、ダイプレートや押出位置等の現在位置を確認するためには、図１のダイレクト画面選択ボタン４内の型締・押出ボタンを押して型締・押出画面に表示を切換る必要があり、また型締・押出画面に表示を切換ると、射出、冷却、中間のタイマ設定や、ＶＩ１〜ＶＩ５，ＶＨ１，ＶＨ２の射出速度設定等の成形条件設定並びに充填時間等のモニタリングデータ、スクリュ位置等の現在値が確認できなくものである。
【００２５】
又、ウインドウズ方式のように、メイン画面にサブ画面が重なることがないので、画面の大きさや表示位置を、オペーレータがその都度変更操作を行なう必要もない。
【００２６】
この結果、ユーザが必要な情報を繁雑な操作もなく画面表示することができ、射出成形機の成形条件の設定や運転状況の確認が効率よく行える。
【００２７】
【発明の効果】
本発明によれば、サブ画面を表示してもメイン画面の表示が隠れることはなく、またメイン画面とサブ画面の表示の組合せが自由にでき、この結果、ユーザが必要な情報を繁雑な操作もなく画面表示することができ、射出成形機の成形条件の設定や運転状況の確認が効率よく行える射出成形機の表示装置を提供することができる。
【図面の簡単な説明】
【図１】本発明の射出成形機の表示装置に係る一実施形態を示す正面図。
【図２】図１の概略構成を示すブロック図。
【図３】図１の画面表示部であって、サブ画面がサブ画面選択ボタン画面を表示し、又メイン画面が射出・計量画面を表示した状態を示す図。
【図４】図１の画面表示部であって、サブ画面がモニタテーブル表示画面を表示し、又メイン画面がモニタトレンド画面を表示した状態を示す図。
【符号の説明】
１…表示装置
２…画面表示部
２Ｍ…メイン画面領域
２Ｓ…サブ画面領域
３…タッチパネル
４…ダイレクト画面選択ボタン
５…サブ画面選択ボタン
６…入力信号制御部
７…画面表示データメモリ
８…画面表示データメモリ
９…画面表示制御部
１０…画面表示データ記憶手段（ＶＲＡＭ）
１１…射出成形機
【図１】
0003688164.tif 000002
【図２】
0003688164.tif 000003
【図３】
0003688164.tif 000004
【図４】
0003688164.tif 000005